(57)【要約】【課題】一般の人々が抵抗感なく使用でき、肌感触等の着心地に優れた薄形で速乾性に優れた濡れ戻り防止生地、肌着用生地、及び肌着を提供する。【解決手段】肌側地組織２と裏側地組織３が単糸繊度の異なる原糸で編成された生地であって、肌側地組織２が、裏側地組織３を編成する原糸の単糸繊度より大きな単糸繊度の疎水性の原糸で編成されるとともにその表面が起毛処理されている濡れ戻り防止生地で、単糸繊度が３．０デシテックスから７．０デシテックスの範囲であり、フィラメント数が１２本から４８本の範囲の長繊維が肌側地組織を編成する原糸として採用され、単糸繊度が０．３デシテックスから３．５デシテックスの範囲であり、フィラメント数が１２本から１４４本の範囲の疎水性の長繊維が裏側地組織を編成する原糸として採用される。【選択図】図１
2011214173.tif 000002
【特許請求の範囲】
【請求項１】
肌側地組織と裏側地組織が単糸繊度の異なる原糸で編成された生地であって、
肌側地組織が、裏側地組織を編成する原糸の単糸繊度より大きな単糸繊度の疎水性の原糸で編成されるとともにその表面が起毛処理されている濡れ戻り防止生地。
【請求項２】
前記肌側地組織を編成する原糸は、単糸繊度が３．０デシテックスから７．０デシテックスの範囲であり、フィラメント数が１２本から４８本の範囲の長繊維である請求項１記載の濡れ戻り防止生地。
【請求項３】
前記裏側地組織を編成する原糸は、単糸繊度が０．３デシテックスから３．５デシテックスの範囲であり、フィラメント数が１２本から１４４本の範囲の疎水性の長繊維である請求項１または２記載の濡れ戻り防止生地。
【請求項４】
前記肌側地組織及び前記裏側地組織を編成する原糸は、ポリエステル、ナイロン、ポリプロピレンの何れかから選択される請求項１から３の何れかに記載の濡れ戻り防止生地。
【請求項５】
吸水性の原糸で編成された表生地の裏側の少なくとも一部に、請求項１から４の何れかに記載の濡れ戻り防止生地が重畳されている肌着用生地。
【請求項６】
前記表生地の表面が撥水加工されている請求項５記載の肌着用生地。
【請求項７】
前記表生地と前記濡れ戻り防止生地の間に、吸水性の原糸で編成された中間生地が重畳され、少なくとも前記中間生地の肌側表面が撥水加工されている請求項５または６記載の肌着用生地。
【請求項８】
請求項５から７の何れかに記載の肌着用生地が一部に縫製されている肌着。
【発明の詳細な説明】
【技術分野】
【０００１】
本発明は、肌側地組織と裏側地組織が単糸繊度の異なる原糸で編成された生地に関し、特に濡れ戻り防止生地、肌着用生地、及び肌着に関する。
【背景技術】
【０００２】
一般に、女性は出産時の体への負荷や、加齢によるホルモンバランスの変化などが原因で、３０代以降の世代で軽い「尿漏れ」があることが知られているが、男性にも同様に「尿漏れ」があることはあまり認知されていない。そのため周りに相談できず、軽い「尿漏れ」に悩む中高年男性が以外に多い現実がある。
【０００３】
特許文献１には、表生地、保水層、吸水拡散層、防水生地がこの順番で設けられていることを特徴とする尿漏れ対策生地が提案されている。
【０００４】
また、特許文献２には、吸水性に優れるとともに濡れ戻りが極めて少ない特殊布帛として、パイル布帛からなる特殊布帛であって、地組織を構成する繊維の５０％以上が吸水性繊維であり、かつパイルを構成する繊維の５０％以上が疎水性繊維で構成されていることを特徴とする特殊布帛が提案されている。
【先行技術文献】
【特許文献】
【０００５】
【特許文献１】特開２００５−１１１１８１号公報
【特許文献２】特開平０７−３２４２５０号公報
【発明の概要】
【発明が解決しようとする課題】
【０００６】
しかし、特許文献１に記載された尿漏れ対策生地は、保水層を備え、成人用オムツやオムツ機能付きパンツなどの下着に用いられる厚手の生地であり、ごく軽い「尿漏れ」に悩む中高年層が、周りの人に気付かれることなく、また、抵抗感無く、容易に着用できるような肌着に適用することが困難であった。
【０００７】
また、特許文献２に記載された特殊布帛は、主にタオル、ハンカチ、バスローブ、ピローケース等に用いられるものであり、地組織を構成する吸水性繊維の単糸繊度が大きく比較的厚手であるため、肌感触等の着心地が好ましくなく、また、速乾性も不十分であるため、日中に着用する肌着等には適しないという問題があった。
【０００８】
さらに、「尿漏れ」という観点以外に、腋の発汗等、体液の上着への染み出しを回避するために、汗取りパッド等が衣服の内側に装着される場合が多いが、吸水層を含む多層構造が採用されるため厚手になり、肌に触れる生地として用いる場合には、装着感という観点等で一層の改良の余地もあった。
【０００９】
本発明の目的は、上述の問題点に鑑み、一般の人々が抵抗感なく使用でき、肌感触等の着心地に優れた薄形で速乾性に優れた濡れ戻り防止生地、肌着用生地、及び肌着を提供する点にある。
【課題を解決するための手段】
【００１０】
上述の目的を達成するため、本発明による濡れ戻り防止生地の第一の特徴構成は、特許請求の範囲の書類の請求項１に記載した通り、肌側地組織と裏側地組織が単糸繊度の異なる原糸で編成された生地であって、肌側地組織が、裏側地組織を編成する原糸の単糸繊度より大きな単糸繊度の疎水性の原糸で編成されるとともにその表面が起毛処理されている点にある。
【００１１】
上述の構成によれば、裏側地組織が、肌側地組織を編成する原糸の単糸繊度より小さな原糸で編成されるため、比較的薄形で密な地組織が実現でき、その結果、密な地組織による良好な毛細管現象により水分が速やかに吸収され、生地の面方向へ拡散される。また、肌側地組織が、裏側地組織を編成する原糸の単糸繊度より大きな単糸繊度の疎水性の原糸で編成され、その表面が起毛処理されるため、起毛処理で形成されるループにより地組織と肌面との間に間隙が形成され、肌側地組織から裏側地組織に浸潤した水分による肌面への濡れ戻りが効果的に抑制される。そして、当該ループは裏側地組織より単糸繊度の大きな原糸で構成されるため、適度な弾性を有し、地組織と肌面との間に形成される空間を維持しながら良好な着心地を確保することができる。従って、肌側から生地に浸潤した水分による肌への濡れ戻りを効果的に抑制することができるようになる。
【００１２】
同第二の特徴構成は、同請求項２に記載した通り、上述の第一特徴構成に加えて、前記肌側地組織を編成する原糸は、単糸繊度が３．０デシテックスから７．０デシテックスの範囲であり、フィラメント数が１２本から４８本の範囲の長繊維である点にあり、この範囲の原糸を用いることにより、地組織と肌面との間にループで形成される空間が確実に維持され、濡れ戻りを防止しつつ、良好な肌触りが確保できる。
【００１３】
同第三の特徴構成は、同請求項３に記載した通り、上述の第一または第二特徴構成に加えて、前記裏側地組織を編成する原糸は、単糸繊度が０．３デシテックスから３．５デシテックスの範囲であり、フィラメント数が１２本から１４４本の範囲の疎水性の長繊維である点にある。
【００１４】
裏側地組織を編成する原糸として疎水性の原糸が用いられるので、原糸に水分が貯留されることなく、肌側地組織から取り込まれた水分が単糸繊度の小さな裏側地組織の毛細管現象により速やかに周囲に浸潤するため、肌側への濡れ戻りを防止しつつ、浸潤した水分が裏側地組織から速やかに蒸散されるようになる。
【００１５】
同第四の特徴構成は、同請求項４に記載した通り、上述の第一から第三の何れかの特徴構成に加えて、前記肌側地組織及び前記裏側地組織を編成する原糸は、ポリエステル、ナイロン、ポリプロピレンの何れかから選択される点にあり、これらの合成繊維によって、濡れ戻りが無く、肌触りが良好な肌着用生地を得ることができるようになる。
【００１６】
本発明による肌着用生地は、同請求項５に記載した通り、吸水性の原糸で編成された表生地の裏側の少なくとも一部に、上述の第一から第四の何れかの特徴構成を備えた濡れ戻り防止生地が重畳されている点にある。
【００１７】
上述の構成によれば、肌との接触側であって尿漏れ部や発汗部等少なくとも一部に、上述の濡れ戻り防止生地を配することにより、全体として軽量で快適な着心地の肌着用生地を得ることができ、薄形の濡れ戻り防止生地が表生地の裏側に重畳されているので、周りの人に気付かれることなく、また、抵抗感無く、容易に着用できるようになる。
【００１８】
同第二の特徴構成は、同請求項６に記載した通り、上述の第一特徴構成に加えて、前記表生地の表面が撥水加工されている点にあり、濡れ戻り防止生地に比較的多めの水分が浸潤した場合であっても、ズボンやシャツ等のアウターウェアに滲み出すような不都合が解消される。
【００１９】
同第三の特徴構成は、同請求項７に記載した通り、上述の第一または第二特徴構成に加えて、前記表生地と前記濡れ戻り防止生地の間に、吸水性の原糸で編成された中間生地が重畳され、少なくとも前記中間生地の肌側表面が撥水加工されている点にあり、濡れ戻り防止生地に比較的多めの水分が浸潤した場合であっても、肌側表面が撥水加工された中間生地に水分が浸潤することが無い。
【００２０】
本発明による肌着の特徴構成は、同請求項８に記載した通り、上述した第一から第三の何れかに記載の肌着用生地が一部に縫製されている点にあり、例えば、パンツの前身ごろ中央部や、シャツの腋部分等に好ましく適用できるようになる。
【発明の効果】
【００２１】
以上説明した通り、本発明によれば、一般の人々が抵抗感なく使用でき、肌感触等の着心地に優れた薄形で速乾性に優れた濡れ戻り防止生地、肌着用生地、及び肌着を提供することができるようになった。
【図面の簡単な説明】
【００２２】
【図１】（ａ）は本発明による濡れ戻り防止生地の説明図、（ｂ）は本発明による肌着用生地の説明図、（ｃ）は本発明に用いる肌着の一例の説明図
【図２】本発明に用いるサテン編の経編地の編成組織図
【図３】本発明に用いるハーフトリコット編の経編地の編成組織図
【図４】（ａ）はクインズコード編の経編地の編成組織図、（ｂ）はシャークスキンの経編地の編成組織図
【図５】（ａ）は本発明による濡れ戻り防止生地を用いた汗取り用パッドが縫製された肌着の説明図
【発明を実施するための形態】
【００２３】
以下、本発明による濡れ戻り防止生地、肌着用生地、及び肌着を説明する。
図１（ａ）に示すように、本発明による濡れ戻り防止生地１は、肌側地組織２と裏側地組織３の二つの地組織を備え、肌側地組織２と裏側地組織３がそれぞれ単糸繊度の異なる原糸で編成され、肌側地組織２が、裏側地組織３を編成する原糸の単糸繊度より大きな単糸繊度の疎水性の原糸で編成され、編成後に肌側地組織２が起毛機で起毛処理され、引き出された原糸によるループ２ａが形成されている。
【００２４】
裏側地組織３を編成する原糸として、単糸繊度が０．３Ｔ（単位「Ｔ」は、デシテックスを示す。）から３．５Ｔで、フィラメント数が１２Ｆ（単位「Ｆ」は、フィラメント数を示す。）から１４４Ｆの範囲の長繊維を使用することができる。単糸繊度が０．５Ｔから３．０Ｔで、フィラメント数が１２Ｆから４８Ｆの範囲の長繊維を使用することがより好ましい。後述するように、水分の良好な拡散性を確保でき、良好な風合いが得られるからである。
【００２５】
また、肌側地組織２を編成する原糸は、単糸繊度が３．０Ｔから７．０Ｔで、フィラメント数が１２Ｆから４８Ｆの範囲の長繊維を使用することができる。単糸繊度が４．５Ｔから６．５Ｔで、フィラメント数が１２Ｆから３６Ｆの範囲の長繊維を使用することがより好ましい。
【００２６】
単糸繊度が３．５Ｔより細くなると、フィラメントの強度が低下するため、起毛時にフィラメントが切断される可能性があり、そうなると肌に触れたときに痛みを感じるようになる。切断されずにループ状の起毛が形成されても、適度な弾性力が生じないため、肌との間に良好な空間が形成されず、濡れ戻り感が防止できなかったり、乾燥性が低下する。
【００２７】
単糸繊度が７．０Ｔより太くなると、起毛機の針布がフィラメントに引っかからず起毛性が劣るという不都合が生じるばかりでなく、フィラメントが硬くなり生地の風合いも硬く、良好な着用感が得られない。さらには、太くなり過ぎると毛細管現象が低下して肌からの吸水性、吸水した水分の拡散性、乾燥性も低下する。そのため、各原糸は、上述した範囲の長繊維を使用することが必要となる。
【００２８】
上述した範囲の長繊維を肌側地組織２及び裏側地組織３に使用する場合には、肌側地組織２が、裏側地組織３を編成する原糸の単糸繊度より大きな単糸繊度の原糸が選択される。尚、肌側地組織と裏側地組織が単糸繊度の異なる原糸で編成された生地として用いられている医療用生地等では、通常、肌側地組織を編成する原糸の単糸繊度が２．０Ｔ以下の細い原糸が用いられ、裏側地組織を編成する原糸の単糸繊度がそれより大きな単糸繊度の原糸が用いられるのに対して、本発明では、その逆の単糸繊度の原糸が用いられる。
【００２９】
良好な濡れ戻り防止感及び着心地を確保する上で、裏側地組織３を編成する原糸の単糸繊度と、肌側地組織２を編成する原糸の単糸繊度の比が１：１．５〜１：４の範囲で選択されることが好ましく、１：１．８〜１：３の範囲で選択されることがさらに好ましい。
【００３０】
肌側地組織２及び裏側地組織３を編成する原糸として、共に疎水性の原糸が選択され、例えば、ポリエステル、ナイロン、ポリプロピレン等の合成繊維が好適に用いられる。中でも、堅牢度、風合い、染色性等の観点からポリエステルを用いることが好ましい。
【００３１】
裏側地組織３が、肌側地組織２を編成する原糸の単糸繊度より小さな原糸で編成されるため、比較的薄形で密な地組織が実現でき、また、肌側地組織２に対する起毛処理により引き出される肌側地組織２の原糸による張力によって、裏側地組織３がより肌側地組織２側に引き付けられる。
【００３２】
その結果、肌側地組織２から浸潤した水分が、密な裏側地組織３による良好な毛細管現象により速やかに吸収され、生地の面方向へ拡散されるようになり、効果的に濡れ戻りが防止され、且つ、疎水性の原糸で編成された裏側地組織３では、原糸に水分が貯留されることなく、水分が裏側地組織の毛細管現象により速やかに周囲に拡散するため、肌側への濡れ戻りを防止しつつ、浸潤した水分が速やかに蒸散されるようになる。
【００３３】
また、肌側地組織２が、裏側地組織３を編成する原糸の単糸繊度より大きな単糸繊度の疎水性の原糸で編成され、その表面が起毛処理されるため、起毛処理で形成されるループ２ａにより地組織２と肌面との間に間隙が形成され、肌側地組織２から裏側地組織３に浸潤した水分による肌面への濡れ戻りが効果的に抑制される。そして、当該ループ２ａは裏側地組織３より単糸繊度の大きな原糸で構成されるため、適度な弾性を有し、肌側地組織２と肌面との間に形成される空間を維持しながら良好な着心地を確保することができる。従って、肌側から生地に浸潤した水分による肌への濡れ戻りを効果的に抑制することができるようになる。
【００３４】
濡れ戻り防止生地１は、少なくとも前筬及び後筬の二枚の筬を備えたトリコット機等の経編機、織機、または、丸編機等を用いて編成することができる。
【００３５】
図２から図４には、経編機を用いて編成された経編地の編成組織図が示されている。図２は、前筬Ｆの経糸でシングルサテン編を、後筬Ｂの経糸でシングルトリコット編をしたサテン編の経編地を示し、図３は、前筬Ｆの経糸でシングルコード編を、後筬Ｂの経糸でシングルトリコット編をしたハーフトリコット編の経編地を示し、図４（ａ）は、前筬Ｆの経糸で鎖編を、後筬Ｂの経糸でシングルコード編等をしたクインズコード編の経編地が示され、図４（ｂ）は、前筬Ｆの経糸でシングルトリコット編を、後筬Ｂの経糸でコード編をしたシャークスキン編の経編地を示している。
【００３６】
本発明による濡れ戻り防止生地では、図２に示すサテン編の経編地が好適に用いられる。前筬Ｆの経糸により肌側地組織２が編成され、後筬Ｂの経糸により裏側地組織３が編成され、経編地の編成後に肌側地組織２が起毛機で起毛処理される。
【００３７】
前筬を（４×１），（５×１）にすることも可能であるが、通常の（３×１）に設定するのが最も好ましい。特に起毛処理前のループの長さが２．５ｍｍから３．５ｍｍの範囲が好適である。ループが短い場合には、起毛機の針布がループに掛からずに円滑に起毛できず、ループが長過ぎる場合には、製品化した場合にループが引っ掛かり易いためである。
【００３８】
さらに、図３に示すハーフトリコット編の経編地も濡れ戻り防止生地として使用可能であり、前筬Ｆの経糸により肌側地組織２が編成され、後筬Ｂの経糸により裏側地組織３が編成される。
【００３９】
同様に起毛処理前のループの長さが２．５ｍｍから３．５ｍｍの範囲となるようなパイル編み等の他の編成組織も好適である。
【００４０】
図４（ａ）のクインズコード編や、図４（ｂ）のシャークスキンの経編地では、後筬Ｂに振りの大きい組織が配置され、この振りの大きな組織は前筬で編成される生地の中に入り、起毛処理するのに適した組織生地とはならないため、濡れ戻り防止生地として、好適に使用できない。
【００４１】
図１（ｃ）には、上述した濡れ戻り防止生地１が一部に縫製された男性用下着４の例であるボクサーブリーフが示されている。吸水性の原糸で編成された表生地５の裏側の少なくとも一部、図では前マチ部４ａの裏面に上述した濡れ戻り防止生地１が重畳されている。
【００４２】
当該濡れ戻り防止生地１は、裏側地組織３を編成する原糸として、単糸繊度が２．８Ｔで、フィラメント数が１２Ｆのポリエステル繊維が使用され、肌側地組織２を編成する原糸として、単糸繊度が５．６Ｔで、フィラメント数が１５Ｆのポリエステル繊維が使用されている。
【００４３】
図１（ｂ）に示すように、表生地５と濡れ戻り防止生地１の間に、吸水性の原糸で編成された表地と同様の中間生地６が重畳され、少なくとも中間生地６の外衣側表面６ａ、及び、表生地５の外衣側表面５ａが撥水加工されている。
【００４４】
従って、濡れ戻り防止生地１に比較的多めの水分が浸潤した場合であっても、中間生地６の外衣側表面６ａが撥水加工されているため、水分が中間生地６を介して表生地５に滲み出し難くなり、また、濡れ戻り防止生地１に浸潤した水分は中間生地６の肌側表面側で速やかに吸収されて面状に拡散される。つまり、中間生地６が保水層として機能するようになる。さらに、表生地５の表面５ａが撥水加工されているため、ズボンやシャツ等のアウターウェア７に滲み出すような不都合な事態も解消される。
【００４５】
尚、表生地５を編成する原糸には、綿等の天然繊維、キュプラ、ビスコースレーヨン等の再生セルロース繊維、吸水性加工されたポリエステル等の合成繊維等、吸水性を有する極細繊維が用いられ、また、編地としてフライス編みや天竺編み等が好適である。また、表生地５の全面が撥水加工されていることが好ましい。
【００４６】
さらに、上述した表生地５及び／または濡れ戻り防止生地１が、消臭・抗菌加工されていることが好ましく、これにより、尿や汗による臭気の発生を抑制して長時間快適な状態を確保することができる。
【００４７】
例えば、特許第３７８７６７５号に開示されているように、原糸となる繊維をキトサン及び／または修飾キトサン、カルボン酸ポリマー、酸化亜鉛及びバインダー樹脂を含む処理液で処理し、これらの被覆層が形成された繊維を用いることにより、優れた消臭効果を奏し、かつ耐洗濯性（耐久性）の良好な肌着等の生地が得られる。
【００４８】
つまり、本発明による肌着用生地は、吸水性の原糸で編成された表生地の裏側の少なくとも一部に、濡れ戻り防止生地１が重畳され、表生地の表面が撥水加工されていればよい。
【００４９】
また、表生地と濡れ戻り防止生地の間に、吸水性の原糸で編成された中間生地が重畳され、少なくとも中間生地の外衣側表面が撥水加工されていればよい。
【００５０】
そして、本発明による肌着は、上述した濡れ戻り防止生地１を用いた肌着用生地が発汗部や尿漏れ部等、濡れ戻り防止が必要となる箇所に縫製されていればよい。通常の肌着ばかりでなく、スポーツ用インナーに用いることも可能である。スポーツ用インナーに用いる場合には、濡れ戻り防止生地１のみで構成することも可能である。
【００５１】
図５には、肌着用生地としての濡れ戻り防止生地１を用いた汗取りパッド８が、アームホール１０に縫製された婦人用の肌着９の一例が示されている。汗取りパッド８は略半円形状に形成され、アームホール１０の下部に一部が露出するように一体的に縫製されている。
【００５２】
当該汗取りパッド８は、濡れ戻り防止生地１のみで構成することも可能であるが、濡れ戻り防止生地１に外衣側表面が撥水加工された表生地を重畳させて、装飾性を持たせてもよいし、表生地と濡れ戻り防止生地１の間に、吸水性の原糸で編成された中間生地を介装してもよい。この場合も、中間生地の外衣側表面が撥水加工されていることが好ましい。
【００５３】
肌着以外にアウターとして着用するタンクトップやキャミソール等のアームホールの下部に、当該汗取りパッド８を一体的に縫製してもよい。
【００５４】
さらに、当該汗取りパッド８は、衣服に直接縫製する用途ばかりではなく、衣服に着脱自在に取り付けて用いるように構成することも可能である。尚、汗取りパッド８の形状は特に制限されるものではなく、円形状、長円形状、半月状等、用途に応じて適宜選択することができる。
【００５５】
このように、本発明による濡れ戻り防止生地を用いた肌着は、軽量且つ薄形で着心地に優れ、外観上他の一般の下着と何ら変わることが無いため、軽い尿漏れ等に悩む人にとって、抵抗感無く着用することができる。
【産業上の利用可能性】
【００５６】
本発明による濡れ戻り防止生地は、男女を問わず、不快な尿漏れや発汗による水分を速やかに吸収する肌着の裏地として、また、汗取りパッドや、乳児のオムツカバーの裏地として好適に使用でき、さらには、スポーツ用のインナー等多用途に用いることができる。
【符号の説明】
【００５７】
１：濡れ戻り防止生地
２：肌側地組織
２ａ：ループ
３：裏側地組織
４：男性用下着
４ａ：前マチ部
５：表生地
５ａ：外衣側表面
６：中間生地
６ａ：外衣側表面
７：アウターウェア
８：汗取りパッド
９：肌着
【図１】
2011214173.tif 000003
【図２】
2011214173.tif 000004
【図３】
2011214173.tif 000005
【図４】
2011214173.tif 000006
【図５】
2011214173.tif 000007